(57)【要約】【課題】リアクタンス回路で構成する並列枝部と直列枝部を交互に複数接続し、少なくとも１つの直列枝部のリアクタンス回路は２つの並列共振回路を直列に接続して構成するフィルタにおいて、２つの並列共振回路を接続する導体の容量成分の影響を低減することを目的とする。【解決手段】２つの並列共振回路を接続する導体とフィルタの接地導体との間に誘導性リアクタンス回路を備える。【選択図】図１
2005328262.tif 000002
【特許請求の範囲】
【請求項１】
リアクタンス回路で構成する並列枝部と直列枝部を交互に複数接続し、少なくとも１つの該直列枝部のリアクタンス回路は２つの並列共振回路を直列に接続して構成するフィルタにおいて、
前記の直列に接続された２つの並列共振回路を接続する導体と前記フィルタの接地導体との間に誘導性リアクタンス回路を備えることを特徴とするフィルタ。
【請求項２】
請求項１に記載のフィルタにおいて、
前記の誘導性リアクタンス回路の誘導成分Ｌは、前記の２つの並列共振回路を接続する導体と前記の接地導体との間の容量成分Ｃと、該フィルタの所望する周波数ωの近傍で、Ｌ≒１／ω２Ｃの関係にあることを特徴とするフィルタ。
【発明の詳細な説明】
【技術分野】
【０００１】
本発明は、帯域通過フィルタもしくは帯域阻止フィルタに係り、特に、リアクタンス回路で構成する並列枝部と直列枝部を交互に複数接続し、少なくとも１つの該直列枝部のリアクタンス回路は２つの並列共振回路を直列に接続して構成するフィルタにおいて、該２つの並列共振回路を接続する導体の容量成分の影響を低減するフィルタに関する。
【背景技術】
【０００２】
近年、移動無線通信においては、信号の占有帯域幅を大幅に広げ雑音や干渉に強いスペクトル拡散通信方式が用いられている。本方式の受信装置においては拡散された受信信号を逆拡散し、逆拡散された信号から干渉波成分を除去するために帯域通過フィルタが広く使用されている。
【０００３】
帯域通過フィルタ等のフィルタにおいて、減衰させる帯域の特性として、急峻な減衰曲線と減衰量を確保することが１つの課題である。この課題の解決策として減衰域に極を形成する技術が開示されている（例えば、特許文献１参照）。
【０００４】
また、他の課題として通過帯域における特性がある。
【０００５】
図５は、従来の帯域通過フィルタを説明する図である。101、103は並列枝部のリアクタンス回路、102は直列枝部のリアクタンス回路、100は接地導体である。リアクタンス回路101はインダクタ111とコンデンサ112から構成する。リアクタンス回路103はインダクタ131とコンデンサ132から構成する。リアクタンス回路102は、並列共振回路を形成するインダクタ121とコンデンサ122と、同じく並列共振回路を形成するインダクタ123とコンデンサ124とから構成され、該２つの並列共振回路を接続する導体120が存在する。前記のフィルタを構成する場合、例えば誘電体基板の一方の主表面に該フィルタを構成し、該主表面のフィルタ構成部以外の他方の面が接地導体となり、導体120は該誘導体基板上の一方の主表面上に形成される配線パターンに相当する。
【特許文献１】特開平８−１４８９５８号公報
【発明の開示】
【発明が解決しようとする課題】
【０００６】
直列枝部のリアクタンス回路102の２つの並列共振回路を接続する導体120には、誘導成分と容量成分が存在する。該誘導成分はリアクタンス回路102の２つの並列共振回路の誘導成分に合成され、該容量成分は導体120と接地導体100の間に生じる。該容量成分は前記のフィルタの入出力インピーダンス特性を劣化させる要因となる。該入出力インピーダンス特性の劣化により、入力端、出力端においてインタフェースする外部回路（図示せず）との間に不整合が生じ、信号の反射が発生することで通過帯域での信号損失が生じる。それと共に、入力端、出力端においてインタフェースする外部回路との間に反射が繰り返されることにより定在波が発生し、それによって通過帯域での振幅偏差が生じる。
【０００７】
本発明は、帯域通過フィルタもしくは帯域阻止フィルタに係り、特に、リアクタンス回路で構成する並列枝部と直列枝部を交互に複数接続し、少なくとも１つの該直列枝部のリアクタンス回路は２つの並列共振回路を直列に接続して構成するフィルタにおいて、該２つの並列共振回路を接続する導体の容量成分の影響を低減するフィルタの提供することを目的とする。
【課題を解決するための手段】
【０００８】
本発明は、リアクタンス回路で構成する並列枝部と直列枝部を交互に複数接続し、少なくとも１つの該直列枝部のリアクタンス回路は２つの並列共振回路を直列に接続して構成するフィルタにおいて、前記の直列に接続された２つの並列共振回路を接続する導体と前記フィルタの接地導体との間に誘導性リアクタンス回路を備えることを特徴とするフィルタである。
【０００９】
本発明によれば、前記の直列に接続された２つの並列共振回路を接続する導体と前記フィルタの接地導体との間に誘導性リアクタンス回路を備えることで、該導体と該フィルタの接地導体との間に存在する容量成分の影響を低減するフィルタを提供することが可能となる。
【発明の効果】
【００１０】
本発明のフィルタは、リアクタンス回路で構成する並列枝部と直列枝部を交互に複数接続し、少なくとも１つの該直列枝部のリアクタンス回路は２つの並列共振回路を直列に接続して構成するフィルタにおいて、前記の直列に接続された２つの並列共振回路を接続する導体と前記フィルタの接地導体との間に誘導性リアクタンス回路を備えることで、信号周波数が数百ＭHz〜２ＧHz程度の場合にフィルタの通過損失等に影響を与える、該導体と該フィルタの接地導体との間に存在する容量成分の影響を低減することが可能となり、通過帯域特性の向上が図れる。
【発明を実施するための最良の形態】
【００１１】
以降、図面を併用して本発明の詳細を説明する。なお、図面において同一のものまたは類似するものについては同一の符号を記載する。
【実施例１】
【００１２】
図１は本発明の帯域通過フィルタを説明する図である。
【００１３】
図２は本発明の帯域通過フィルタの原理を説明する図である。
【００１４】
図１、図２において、１、３は並列枝部のリアクタンス回路、２は直列枝部のリアクタンス回路、100は接地導体である。リアクタンス回路１はインダクタ11とコンデンサ12から構成する。リアクタンス回路３はインダクタ31とコンデンサ32から構成する。リアクタンス回路２は、並列共振回路を形成するインダクタ21とコンデンサ22と、同じく並列共振回路を形成するインダクタ23とコンデンサ24とから構成され、該２つの並列共振回路を接続する導体20が存在する。
【００１５】
図２において、42は導体20と接地導体100の間に生じる容量性リアクタンスであり、前記フィルタの通過帯域信号の周波数が数百ＭHz〜２ＧHz程度の場合に、該容量性リアクタンスはフィルタの通過特性等に影響を与える要因となる。
【００１６】
図１、図２において、41は導体20と接地導体100の間に設置するインダクタであり、前記の容量性リアクタンス42のキャパシタＣに対し、インダクタ41のインダクタンスＬを所望の周波数ω近傍でＬ≒１／ω２Ｃとなるインダクタンスにすることにより、導体20と接地導体100の間のインピーダンスは無限大となり、入力インピーダンス及び出力インピーダンスにおける該容量性リアクタンス42の影響を除去することができる。
【００１７】
図３は本発明の帯域通過フィルタの特性を説明する図である。（Ａ）は入力インピーダンス特性を入力反射損失に置き換えた特性であり、（Ｂ）は出力インピーダンス特性を出力反射損失に置き換えた特性である。（Ａ）（Ｂ）ともに、破線で示したグラフは図５で示した従来の帯域通過フィルタの特性であり、実線で示したグラフは図１で示したように導体20と接地導体100の間に発生する容量性リアクタンス42の影響をインダクタ41によって低減した特性である。実線で示したグラフから、インダクタ41によって容量性リアクタンス42の影響を低減し、通過帯域の損失を改善することが可能となる。
【００１８】
なお、入力インピーダンスをＺｉｎ、特性インピーダンスをＺ０とした場合、反射係数、反射損失は下記の関係になる。
入力反射係数  τ＝｜(Ｚｉｎ−Ｚ０)/(Ｚｉｎ＋Ｚ０)｜
入力反射損失(dB)＝−２０Ｌｏｇτ
前記のインダクタ41は、容量性リアクタンス42を測定することで求めることにより、前記Ｌ≒１／ω２Ｃの関係より求めることができる。また、フィルタ特性を観測することによって実験により最適なインダクタンスＬを求めることができる。
【実施例２】
【００１９】
図４は本発明の帯域阻止フィルタを説明する図である。５、７は並列枝部のリアクタンス回路、６は直列枝部のリアクタンス回路、100は接地導体である。リアクタンス回路５はインダクタ51とコンデンサ52から構成する。リアクタンス回路７はインダクタ71とコンデンサ72から構成する。リアクタンス回路６は、並列共振回路を形成するインダクタ61とコンデンサ62と、同じく並列共振回路を形成するインダクタ63とコンデンサ64とから構成され、該２つの並列共振回路を接続する導体60が存在する。43は導体60と接地導体100の間に設置するインダクタであり、導体60と接地導体100の間に生じる容量性リアクタンスのキャパシタＣに対し、インダクタ43のインダクタンスＬを所望の周波数ω近傍でＬ≒１／ω２Ｃとなるインダクタンスにすることにより、導体60と接地導体100の間のインピーダンスは無限大となり、入力インピーダンス及び出力インピーダンスにおける該容量性リアクタンスの影響は除去することができる。
【００２０】
前記のインダクタ43は、実施例１と同様に、容量性リアクタンス（図示せず）を測定することで求めることにより、前記Ｌ≒１／ω２Ｃの関係より求めることができる。また、フィルタ特性を観測することによって実験により最適なインダクタンスＬを求めることができる。
【図面の簡単な説明】
【００２１】
【図１】本発明の帯域通過フィルタを説明する図
【図２】本発明の帯域通過フィルタの原理を説明する図
【図３】本発明の帯域通過フィルタの特性を説明する図
【図４】本発明の帯域阻止フィルタを説明する図
【図５】従来の帯域通過フィルタを説明する図
【符号の説明】
【００２２】
１、３、５、７、101、103    並列枝部のリアクタンス回路
２、６、102    直列枝部のリアクタンス回路
11、21、23、31、41、43、51、61、63、71、111、121、123、131    インダクタ
12、22、24、32、52、62、64、72、112、122、124、132    コンデンサ
42    容量性リアクタンス
20、60、120    導体
100    接地導体
【図１】
2005328262.tif 000003
【図２】
2005328262.tif 000004
【図３】
2005328262.tif 000005
【図４】
2005328262.tif 000006
【図５】
2005328262.tif 000007